(57)【要約】【課題】電気接続箱の取付形態の違いに柔軟に対応することができて生産性を上げることができると共に、取付ブラケットの強度を高めて、車体取付時の信頼性を高めることのできる電気接続箱を提供する。【解決手段】箱本体１０と、箱本体１０の下面に着脱自在に装着される固定用の取付ブラケット２０と、箱本体１０の下面に装着されるアンダーカバー３０と、からなり、箱本体１０と取付ブラケット２０には、取付ブラケット２０が適正な状態に装着されたとき１本の溝部４０として連続し、不適正な状態に装着されたとき不連続となる溝部４１、４２がそれぞれ形成され、アンダーカバー３０には、箱本体１０側の溝部４１と取付ブラケット２０側の溝部４２が１本に連続したとき、その１本に連続した溝部に嵌まる凸部が設けられている。【選択図】図２
2008160924.tif 000002
【特許請求の範囲】
【請求項１】
電気部品等を収納する箱本体と、該箱本体の下面に着脱自在に装着される固定用の取付ブラケットと、前記箱本体の下面に装着されるアンダーカバーと、からなり、前記箱本体と取付ブラケットには、該取付ブラケットが適正な状態に装着されたとき１本に連続し、不適正な状態に装着されたとき不連続となる溝部がそれぞれ形成され、前記アンダーカバーには、前記箱本体側の溝部と取付ブラケット側の溝部が１本に連続したとき、その１本に連続した溝部に嵌まる凸部が設けられていることを特徴とする電気接続箱。
【請求項２】
請求項１に記載の電気接続箱であって、
前記取付ブラケットが前記箱本体にスライドロック機構を介して装着されており、前記箱本体と取付ブラケットには、前記スライドロック機構のスライド方向と交差する方向に延びるよう前記溝部が形成されていることを特徴とする電気接続箱。
【発明の詳細な説明】
【技術分野】
【０００１】
本発明は、自動車に搭載される電気接続箱に関する。
【背景技術】
【０００２】
通常の電気接続箱では、箱本体に取付ブラケットが一体に形成してある。そして、その取付ブラケットを用いて、電気接続箱をボルトで車体に固定するようになっている。また、アンダーカバーは、取付ブラケットに干渉することなく、箱本体の下面を覆うように箱本体に装着してロックできるようになっている（例えば、特許文献１参照）。
【特許文献１】実開平７−４２５３８号公報
【発明の開示】
【発明が解決しようとする課題】
【０００３】
ところで、前記取付ブラケットを箱本体に一体に設けている場合、車種等に応じて取付形態が異なると、１種の電気接続箱では対応しきれないことがある。そのような場合、取付形態ごとに取付ブラケットの寸法だけを違えた複数種の電気接続箱を用意しておかなければならず、生産性が悪いという問題があった。
【０００４】
本発明は、上記事情を考慮し、電気接続箱の取付形態の違いに柔軟に対応することができて生産性を上げることができると共に、取付ブラケットの強度を高めて、車体取付時の信頼性を高めることのできる電気接続箱を提供することを目的とする。
【課題を解決するための手段】
【０００５】
請求項１の発明は、電気部品等を収納する箱本体と、該箱本体の下面に着脱自在に装着される固定用の取付ブラケットと、前記箱本体の下面に装着されるアンダーカバーと、からなり、前記箱本体と取付ブラケットには、該取付ブラケットが適正な状態に装着されたとき１本に連続し、不適正な状態に装着されたとき不連続となる溝部がそれぞれ形成され、前記アンダーカバーには、前記箱本体側の溝部と取付ブラケット側の溝部が１本に連続したとき、その１本に連続した溝部に嵌まる凸部が設けられていることを特徴とする。
【０００６】
請求項２の発明は、請求項１に記載の電気接続箱であって、前記取付ブラケットが前記箱本体にスライドロック機構を介して装着されており、前記箱本体と取付ブラケットには、前記スライドロック機構のスライド方向と交差する方向に延びるよう前記溝部が形成されていることを特徴とする。
【発明の効果】
【０００７】
請求項１の発明によれば、取付ブラケットを箱本体に対して着脱自在としたので、必要に応じて取付ブラケットを取り付けたり取り外したりできる上、必要に応じた種類の取付ブラケットを選択して装着することができる。従って、車種等に応じて取付形態が異なるような場合、取付形態ごとに電気接続箱の全体を種類分けして用意しておく必要がなく、電気接続箱の主要部品である箱本体は共通部品化し、取付ブラケットだけを取付形態ごとに用意しておけばよくなり、生産効率の向上が図れる。
【０００８】
また、箱本体に装着した取付ブラケットの溝部に、後から装着したアンダーカバーの凸部を嵌めるので、アンダーカバーが外れない限り、取付ブラケットが外れないようにすることができる。従って、小さい取付ブラケットでも、強固に固定することができ、電気接続箱を車体に固定した際の支持強度のアップが図れる。取付ブラケットは電気接続箱を支持固定する大事な部分であるため、着脱自在でありながらも取付ブラケットを強固に固定できることは、電気接続箱の信頼性を高める上で非常に重要なことである。
【０００９】
また、取付ブラケットが適正に装着されていないと、取付ブラケットの溝部と箱本体の溝部が１本に連続せず、アンダーカバーの凸部を溝部に嵌めることができないので、そのことをもって取付ブラケットの誤組付状態を検知することができる。
【００１０】
請求項２の発明によれば、取付ブラケットをスライドロック機構を介して箱本体に装着するようにしており、溝部をスライドロック機構のスライド方向と交差する方向に延びるように形成してあるので、取付ブラケットが不適正に装着されているとき、溝部がはっきりとした段差を持って不連続となる。従って、その不連続部分の発生により、アンダーカバーが適正に箱本体に装着することができなくなり、そのことをもって取付ブラケットの誤組付状態を検知することができる。
【発明を実施するための最良の形態】
【００１１】
以下、本発明の実施形態を図面を参照して説明する。
【００１２】
図１は実施形態の電気接続箱を下面側が上になるよう裏返して示す斜視図、図２は図１の電気接続箱からアンダーカバーを取り外した状態を示す斜視図、図３は取り外したアンダーカバーの斜視図、図４はアンダーカバーの上面側（内面側）の構成を示す斜視図、図５は同電気接続箱を裏返して全部品を分解して示す斜視図、図６は箱本体に取付ブラケットを取り付けて１本に連続させた溝部に対してアンダーカバーの凸部に設けたＴ形部を溝部に嵌めようとしている状態を示す要部の斜視図である。
【００１３】
この電気接続箱は、図１及び図５に示すように、電気部品等を収納する箱本体１０と、該箱本体１０の下面壁１１の所定のブラケット取付座１２に着脱自在に装着される固定用の取付ブラケット２０と、箱本体１０の下面に装着されるアンダーカバー３０と、からなる。取付ブラケット２０には、ボルト締結部５２が設けられている。
【００１４】
アンダーカバー３０は、取付ブラケット２０を避けた範囲を覆うもので、カバー本体３１の一端縁３１ａのみが取付ブラケット２０の上に重なるようになっている。そして、その取付ブラケット２０に重なるアンダーカバー３０の一端縁３１ａに対応させて、図２に示すように、箱本体１０と取付ブラケット２０には、取付ブラケット２０が適正な状態に装着されたとき１本の溝部４０として連続し、不適正な状態に装着されたとき不連続となる溝部４１、４２がそれぞれ形成されている。
【００１５】
また、図３、図４に示すように、アンダーカバー３０の一端縁３１ａには、箱本体１０側の溝部４１と取付ブラケット２０側の溝部４２が１本に連続したとき、その１本に連続した溝部４０に嵌まるリブ（凸部）３３、３４が設けられている。このリブ３３、３４の途中には、図６に示すように、箱本体１０及び取付ブラケット２０側の溝部４０の途中に設けられた鍵溝部４３に嵌まるＴ字形部３５が設けられている。
【００１６】
また、取付ブラケット２０の取付面（上面）と箱本体１０のブラケット取付座１２には、取付ブラケット２０を一定の方向から直線スライドさせることによりブラケット取付座１２に取付ブラケット２０を固定することのできるスライドロック機構１３、２３が設けられている。図５に示すように、ブラケット取付座１２側のスライドロック機構１３は、スライドレール１３ａとロック部１３ｂとを備え、取付ブラケット２０側のスライドロック機構２３は、図示しないが、相手側のスライドレール１３ａに嵌まるスライドレールと、ロック部１３ｂにロックするロック部とを備えている。
【００１７】
この場合、図２に示すように、箱本体１０と取付ブラケット２０の各溝部４１、４２のうち１本に連続する部分は、スライドロック機構１３、２３のスライド方向Ａと交差する方向Ｂに延在するように形成されている。
【００１８】
また、このように着脱自在に装着される取付ブラケット２０の他に、箱本体１０とアンダーカバー３０には、固定的にボルト締結部５１と、ボルト締結部５３付きの取付ブラケット３２とがそれぞれ設けられており、これらの３つのボルト締結部５１、５２、５３を用いて電気接続箱を車体に固定できるようになっている。
【００１９】
このような構成の電気接続箱を組み立てる場合は、まず、箱本体１０の下面のブラケット取付座１２に、取付ブラケット２０をスライドロック機構１３、２３を介して装着する。適正に装着できると、図２に示すように、取付ブラケット２０の溝部４２が箱本体１０側の溝部４１と滑らかに連続し、１本の溝部４０となる。
【００２０】
次に、アンダーカバー３０を箱本体１０の下面に装着する。そうすると、アンダーカバー３０の一端縁の内面に設けた凸部３３、３４が、１本に連続した溝部４０に嵌まる。この状態でアンダーカバー３０を箱本体１０にロックすることで電気接続箱が完成する。
【００２１】
また、取付ブラケット２０が適正に装着されていない場合は、箱本体１０側の溝部４１と取付ブラケット２０側の溝部４２が不連続となる。従って、凸部３３、３４が溝部４１、４２に嵌らず、アンダーカバー３０を正しく装着することができなくなる。従って、そのことで、取付ブラケット２０の不適正な装着を発見することができる。
【００２２】
この電気接続箱の場合、取付ブラケット３０を箱本体１０に対して着脱自在としているので、必要に応じて取付ブラケット３０を取り付けたり取り外したりできる。また、必要に応じた種類の取付ブラケット３０を選択して装着することもできる。
【００２３】
従って、車種等に応じて取付形態が異なるような場合、取付形態ごとに電気接続箱の全体を種類分けして用意しておく必要がなく、電気接続箱の主要部品である箱本体１０を共通部品とし、取付ブラケット３０だけを取付形態ごとに用意しておけばよくなり、生産効率の向上が図れる。
【００２４】
また、箱本体１０に装着した取付ブラケット２０の溝部４２に、後から装着したアンダーカバー３０の凸部３４を嵌めるので、アンダーカバー３０が外れない限り、取付ブラケット２０が外れないようにすることができる。従って、小さい取付ブラケット３０でも、強固に固定することができ、電気接続箱を車体に固定した際の支持強度のアップが図れる。取付ブラケット３０は電気接続箱を支持固定する大事な部分であるため、着脱自在でありながらも取付ブラケット３０を強固に固定できることは、電気接続箱の信頼性を高める上で非常に重要なことである。
【００２５】
また、取付ブラケット２０が適正に装着されていない場合は、取付ブラケット２０の溝部４２と箱本体１０の溝部４１が１本に連続しないので、アンダーカバー３０の凸部３３、３４を溝部４１、４２に嵌めることができないので、そのことをもって取付ブラケット２０の誤組付状態を検知することができる。
【００２６】
その場合、取付ブラケット２０をスライドロック機構１３、２３を介して箱本体１０に装着するようにしてあり、且つ、溝部４１、４２をスライドロック機構１３、２３のスライド方向Ａと交差する方向Ｂに延びるように形成してあることにより、取付ブラケット２０が不適正に装着されているときに、よりはっきりと溝部４１、４２を段差をもって不連続にすることができる。従って、より確実にアンダーカバー３０を適正に箱本体１０に装着することができなくなり、そのことをもって、明確に取付ブラケット２０の誤組付状態を検知することができるようになる。
【図面の簡単な説明】
【００２７】
【図１】本発明の実施形態の電気接続箱を下面側が上になるよう裏返して示す斜視図である。
【図２】図１の電気接続箱からアンダーカバーを取り外した状態を示す斜視図である。
【図３】取り外したアンダーカバーの斜視図である。
【図４】同アンダーカバーの上面側（内面側）の構成を示す斜視図である。
【図５】同電気接続箱を裏返して全部品を分解して示す斜視図である。
【図６】箱本体に取付ブラケットを取り付けて１本に連続させて溝部に対してアンダーカバーの凸部に設けたＴ形部を溝部に嵌めようとしている状態を示す要部の斜視図である。
【符号の説明】
【００２８】
１０  箱本体
１３  スライドロック機構
２０  取付ブラケット
２３  スライドロック機構
３０  アンダーカバー
３３，３４  凸部
４０，４１，４２  溝部
【図１】
2008160924.tif 000003
【図２】
2008160924.tif 000004
【図３】
2008160924.tif 000005
【図４】
2008160924.tif 000006
【図５】
2008160924.tif 000007
【図６】
2008160924.tif 000008